(57)【要約】【課題】放送コンテンツＸを記録（録画）する容量がない場合、既に記録済みの放送コンテンツＹに係るタイトル等のコンテンツ情報を保持し当該コンテンツＹの視聴を可能にしつつ、放送コンテンツＸを記録する記録再生装置を提供する。【解決手段】コンテンツ検索部１８は、コンテンツ配信サーバ装置２にアクセスし、コンテンツ配信サーバ装置２から、削除コンテンツ選択部１３ｂが選択した放送コンテンツと同一のコンテンツを検索する。コンテンツ情報取得部１９は、コンテンツ検索部１８が検索したコンテンツのＵＲＬを取得する。記録コンテンツ更新部１３ｃは、削除コンテンツ選択部１３ｂが選択した放送コンテンツを削除すると共に、コンテンツ情報取得部１９が取得した当該放送コンテンツと同一タイトルのコンテンツのＵＲＬをコンテンツデータベース１６に登録する。【選択図】図２
2011124920.tif 000002
【特許請求の範囲】
【請求項１】
放送コンテンツを録画予約する機能と、ネットワークを介して接続しているコンテンツ配信サーバ装置に記録されているコンテンツをダウンロードして再生する機能を備えた記録再生装置において、
少なくとも、記録された放送コンテンツのタイトルと当該放送コンテンツの記録先情報とを対応付けて記録するデータベースを有し、
記録された放送コンテンツの中から削除する放送コンテンツを選択する選択手段と、
前記選択手段が選択した放送コンテンツのタイトルと同一タイトルのコンテンツを前記コンテンツ配信サーバ装置から検索し、当該検索されたコンテンツの当該コンテンツ配信サーバ装置における記録先情報を取得する手段と、
前記選択手段が選択した放送コンテンツを削除すると共に、前記取得した当該放送コンテンツのタイトルと同一タイトルの前記コンテンツの記録先情報を前記データベースに登録する手段と、
前記データベースに登録された当該コンテンツの記録先情報に基づき、前記コンテンツ配信サーバ装置に記録されている当該コンテンツをダウンロード再生する手段とを備えたことを特徴とする記録再生装置。
【請求項２】
前記選択手段は、新たに記録する放送コンテンツの記録容量が記録可能容量以上の場合に、記録された放送コンテンツの中から削除する放送コンテンツを選択することを特徴とする請求項１に記載の記録再生装置。
【請求項３】
前記選択手段は、記録された放送コンテンツの中から、記録日時が最も古い放送コンテンツ又は再生回数が最も少ない放送コンテンツを削除する放送コンテンツとして選択することを特徴とする請求項１又は２に記載の記録再生装置。
【発明の詳細な説明】
【技術分野】
【０００１】
本発明は、放送コンテンツを記録再生する装置に係り、特に、記録再生装置の記録容量が不足する場合における、記録容量を確保する技術に関する。
【背景技術】
【０００２】
近年、テレビ放送のデジタル化が進み、ユーザーはＥＰＧ（Electronic Program Guide）を利用することで、ハードディスクレコーダー等の記録再生装置に放送番組（放送コンテンツともいう）を手軽に記録することができる。
【０００３】
このような記録再生装置は、シリーズ番組を自動的に記録（録画）する機能や、ユーザーによって登録されたキーワードに関連する放送コンテンツを自動的に記録する機能や、視聴履歴からユーザーの視聴嗜好を分析し、視聴嗜好にあう放送コンテンツを自動的に記録する機能等を有している。
【０００４】
また、記録再生装置の多くはハードディスク（ＨＤＤ：Hard Disk Drive）等の大容量記録装置を有しており、近年、その記録装置の大容量化が進展している。
しかし、前述の自動記録機能を実行すると、ユーザーが明示的に記録操作をしなくても、放送コンテンツが大量に記録されることになり、その結果、記録装置の記録容量が不足し、新たに放送コンテンツを記録することができなくなることがある。
【０００５】
このように、新たに放送コンテンツを記録する記録容量がない場合に、新たに放送コンテンツを記録することを可能にする様々な技術が提案されている。例えば、特許文献１には、記録部の空き容量が規定のサイズ以下になると、記録済みコンテンツを当該コンテンツの圧縮率よりもさらに高い圧縮率で再符号化してコンテンツの記録サイズを減少させることで、空き容量を増やす技術が開示されている。
【０００６】
また特許文献２には、ユーザーの視聴嗜好と録画日時からの経過時間に基づき記録済みコンテンツの中から削除するコンテンツを特定する技術が開示されている。
【先行技術文献】
【特許文献】
【０００７】
【特許文献１】特開２００５−６４９９７号公報
【特許文献２】特開２００９―６５４３０号公報
【発明の概要】
【発明が解決しようとする課題】
【０００８】
しかし、特許文献１に開示されている再符号化により空き容量を増やす技術では、再符号化を行う処理時間が必要であり、また、既に低解像度（高圧縮率）で記録されているコンテンツに対して再符号化処理を実行しても、空き容量を十分に増やすことはできない。
【０００９】
また、特許文献２に開示されているコンテンツ削除技術では、ユーザーが、長い間視聴していないコンテンツを久し振りに視聴したいと思ったとき、当該コンテンツが削除されていることがあり不都合である。
【００１０】
本発明は、上述の実情を考慮してなされたものであって、例えば、放送コンテンツＸを記録（録画）する容量がない場合、既に記録済みの放送コンテンツＹに係るタイトル等のコンテンツ情報を保持し当該コンテンツＹの視聴を可能にしつつ、放送コンテンツＸを記録する記録再生装置を提供することを目的とする。
【課題を解決するための手段】
【００１１】
第１の技術手段は、放送コンテンツを録画予約する機能と、ネットワークを介して接続しているコンテンツ配信サーバ装置に記録されているコンテンツをダウンロードして再生する機能を備えた記録再生装置において、少なくとも、記録された放送コンテンツのタイトルと当該放送コンテンツの記録先情報とを対応付けて記録するデータベースを有し、記録された放送コンテンツの中から削除する放送コンテンツを選択する選択手段と、前記選択手段が選択した放送コンテンツのタイトルと同一タイトルのコンテンツを前記コンテンツ配信サーバ装置から検索し、当該検索されたコンテンツの当該コンテンツ配信サーバ装置における記録先情報を取得する手段と、前記選択手段が選択した放送コンテンツを削除すると共に、前記取得した当該放送コンテンツのタイトルと同一タイトルの前記コンテンツの記録先情報を前記データベースに登録する手段と、前記データベースに登録された当該コンテンツの記録先情報に基づき、前記コンテンツ配信サーバ装置に記録されている当該コンテンツをダウンロード再生する手段とを備えたことを特徴とする記録再生装置である。
【００１２】
第２の技術手段は、第１の技術手段において、前記選択手段は、新たに記録する放送コンテンツの記録容量が記録可能容量以上の場合に、記録された放送コンテンツの中から削除する放送コンテンツを選択することを特徴とするものである。
【００１３】
第３の技術手段は、第１又は第２の技術手段において、前記選択手段は、記録された放送コンテンツの中から、記録日時が最も古い放送コンテンツ又は再生回数が最も少ない放送コンテンツを削除する放送コンテンツとして選択することを特徴とするものである。
【発明の効果】
【００１４】
本発明によれば、新たな放送コンテンツＸを記録する容量がない場合でも、既に記録済みの放送コンテンツＹに係るタイトル等のコンテンツ情報及び放送コンテンツＹのネットワーク上における記録先情報を保持しているので、記録再生装置から放送コンテンツＹのコンテンツデータ（動画データ）を削除して記録容量を増やし放送コンテンツＸの記録を可能にし、さらに、放送コンテンツＹの視聴を可能にすることができる。
【図面の簡単な説明】
【００１５】
【図１】本発明に係る記録再生装置を説明する図である。
【図２】本発明に係る記録再生装置の構成を示す機能ブロック図である。
【図３】コンテンツデータベースを模式的に示す図である。
【図４】コンテンツの選択、検索、コンテンツデータの削除処理を説明するフロー図である。
【発明を実施するための形態】
【００１６】
以下、図面を用いて本発明の実施形態について説明する。
図１は、本発明に係る記録再生装置１を説明する図で、記録再生装置１は、放送コンテンツを録画予約する機能と、インターネット等のネットワークＮを介して接続しているコンテンツ配信サーバ装置２に記録されているコンテンツをダウンロードして再生する機能を備えている。
また、記録再生装置１は、前記機能に加え、少なくとも、記録された放送コンテンツのタイトルと当該放送コンテンツの記録先情報（ファイルパスやＵＲＬ）とを対応付けて記録するデータベースを有する。
【００１７】
記録再生装置１は、記録された放送コンテンツの中から削除する放送コンテンツを選択し、選択した放送コンテンツのタイトルと同一タイトルのコンテンツをコンテンツ配信サーバ装置２から検索し、さらに、当該検索されたコンテンツのコンテンツ配信サーバ装置２における記録先情報（ＵＲＬ）を取得する。
【００１８】
そして、前記選択した放送コンテンツを削除すると共に、前記取得した当該放送コンテンツのタイトルと同一タイトルの前記コンテンツのＵＲＬを前記データベースに登録する。
【００１９】
以後、当該コンテンツを視聴するときは、前記データベースに登録されたコンテンツのＵＲＬに基づき、コンテンツ配信サーバ装置２に記録されているコンテンツをダウンロード再生する。
【００２０】
図２は、本発明に係る記録再生装置１の構成を示す機能ブロック図である。
記録再生装置１は、放送受信部１１、録画予約処理部１２、記録制御部１３、記録処理部１４、記録部１５、記録部１５に記録されるコンテンツデータベース１６、同コンテンツデータ１７、コンテンツ検索部１８、コンテンツ情報取得部１９、ネットワークＩ／Ｆ２０、再生制御部２１から、構成される。
【００２１】
図３は、記録部１５に記録されたコンテンツデータベース１６を模式的に示す図である。
コンテンツデータベース１６は、コンテンツ情報欄１６１、記録情報欄１６２、視聴情報欄１６３を有し、記録コンテンツに関連する様々な情報（以下、記録コンテンツ情報と記す）がコンテンツ毎に登録（記録）されている。なお、各情報欄（１６１〜１６３）の内容については後述する。
【００２２】
図２の放送受信部１１は、放送局から送信される放送波を受信し、放送コンテンツや電子番組ガイド（ＥＰＧ：Electronic Program Guide）を抽出し、記録制御部１３に出力する。
【００２３】
録画予約処理部１２は、ユーザーからの放送コンテンツ録画予約指示を受け付けて、放送コンテンツの録画予約処理を行う。例えば、ユーザーがＥＰＧ画面を介して入力した放送コンテンツの録画予約指示に基づき、ＥＰＧデータから当該放送コンテンツの番組名、放送予定時間等を抽出し、予め設定された録画モードに基づき当該放送コンテンツを録画（記録）するように記録処理部１４に指示する。他にも、例えば、ユーザーの視聴嗜好を記録してユーザーの嗜好にあう番組をＥＰＧデータ等から検索して録画予約を行ったり、連続ドラマ等のシリーズ録画予約を行ってもよい。
【００２４】
記録制御部１３は、放送コンテンツの記録に関する各種制御を実行する。
記録可能判定部１３ａ、削除コンテンツ選択部１３ｂ、記録コンテンツ更新部１３ｃの説明については後述する。
【００２５】
記録処理部１４は、録画予約処理部１２からの指示を受け、記録部１５に放送コンテンツを記録する処理を実行する。なお、記録の際には、予め設定された録画モードに基づいて、記録対象となる放送コンテンツ（データ）に対して変換処理あるいはエンコード等の各種処理を実行する。
【００２６】
記録部１５は、例えば、ＨＤＤ等の大容量記録装置で、コンテンツデータベース１６（図３参照）と放送コンテンツのデータ（以下、コンテンツデータと記す）１７を記録する。
前述したように、コンテンツデータベース１６には、記録部１５に記録した放送コンテンツの記録コンテンツ情報が登録されている。記録コンテンツ情報は、記録部１５に記録した放送コンテンツのタイトルや放送日時、記録日時、番組情報、録画形態、当該放送コンテンツ（データ）の記録先情報等から構成される。記録先情報は、例えば、ファイルパスやＵＲＬ等のＵＲＩ（Uniform Resource Identifier）である。
【００２７】
コンテンツ検索部１８は、例えば、ネットワークＩ／Ｆ２０を介して記録再生装置１と接続しているコンテンツ配信サーバ装置２にアクセスし、コンテンツ配信サーバ装置２に記録（Ｗｅｂに公開）されているＨＴＭＬデータ等を解析することにより、削除コンテンツ選択部１３ｂが選択した放送コンテンツと同一のコンテンツを検索する。なお、選択、検索の詳細については後述する。
【００２８】
コンテンツ情報取得部１９は、コンテンツ検索部１８が検索したコンテンツに関する各種情報、例えば、コンテンツの記録先情報、画像サイズ、ビットレート、コーデック情報等のコンテンツ情報、課金情報、視聴期限情報等を取得する。
【００２９】
コンテンツ検索部１８、コンテンツ情報取得部１９は、削除コンテンツ選択部１３ｂが選択した放送コンテンツのタイトルと同一タイトルのコンテンツをコンテンツ配信サーバ装置２から検索し、当該検索されたコンテンツの当該コンテンツ配信サーバ装置２における記録先情報（ＵＲＬ）を取得する手段として機能する。
【００３０】
ネットワークＩ／Ｆ２０は、インターネット等のネットワークＮに対するアクセス用インターフェイスとして機能する。
【００３１】
再生制御部２１は、コンテンツデータベース１６に登録されたコンテンツの記録先情報に基づき、コンテンツの再生処理を実行する。例えば、コンテンツデータベース１６に登録されたコンテンツがコンテンツ配信サーバ装置２に記録されているコンテンツの場合には、コンテンツデータベース１６に登録された当該コンテンツのＵＲＬに基づき、当該コンテンツをダウンロード再生する。なお、再生処理の詳細については、後述する。
【００３２】
各機能ブロック図は、図示しない制御部によって制御される。また、制御部は、リモコン等を介してユーザーからの指示を受け付け、受け付けた指示の内容を実行する。
【００３３】
次に、本発明に係る記録再生装置１で実行される記録処理について詳細に説明する。
ユーザーが記録再生装置１のリモコン等を操作して、記録再生装置１にＥＰＧ画面の表示を指示する。そして、ＥＰＧ画面を介して録画番組（放送コンテンツ）を選択し、選択した放送コンテンツの録画予約を指示する。
【００３４】
すると、記録制御部１３の記録可能判定部１３ａは、放送受信部１１が受信したＥＰＧデータに含まれるＥＩＴ（Event Information Table）情報等から録画予約された放送コンテンツのデータ量を算出し、さらに、記録部１５の空き容量（記録可能容量）を算出する。そして、前記空き容量が前記録画予定の放送コンテンツのデータ量以上か、つまり、録画予約された放送コンテンツを記録部１５に記録できるか否かを判定する。
【００３５】
まず、記録可能判定部１３ａが前記録画予約された放送コンテンツを記録部１５に記録可能と判定した場合の処理について説明する。
前記録画予約された放送コンテンツの録画開始時間に至ると、録画予約処理部１２は、記録処理部１４に当該放送コンテンツの記録を指示する。前記指示を受けた記録処理部１４は、放送受信部１１を介して前記録画予約された放送コンテンツを受信し、当該放送コンテンツを記録部１５に記録する。
【００３６】
このとき、録画予約処理部１２は、記録する放送コンテンツのタイトル等をコンテンツデータベース１６に登録する。ここで、図３に示したコンテンツデータベース１６の詳細について説明する。
【００３７】
コンテンツ情報欄１６１には、ＥＰＧデータから得られる放送コンテンツのタイトル、放送日時、放送局、チャンネル、コンテンツのジャンル、出演者等のコンテンツ情報が記録される。
【００３８】
記録情報欄１６２は、録画モード欄１６２ａ、記録先情報欄１６２ｂ、補足情報欄１６２ｃを有する。
録画モード欄１６２ａには、放送コンテンツを記録する際に参照される放送コンテンツの符号化パラメータやビットレート等のプリセットした情報である録画モード情報が登録される。なお、一般的に、放送コンテンツを記録するレコーダ等では、放送波をそのまま記録する録画モード（ＴＳモード）と、受信した放送コンテンツの画像サイズやビットレートを変更して記録する録画モードがあり、ここでは、ＴＳモード、ビットレートを下げて記録する長時間モードが登録されている。この他にも、画像サイズを変更して記録するようなモード等があってもよい。
【００３９】
記録先情報欄１６２ｂには、コンテンツ情報欄１６１に登録されたタイトルに対応するコンテンツの実体データ（コンテンツデータ）の記録先情報が登録される。本発明では、ファイルパス等の記録部１５に記録されている放送コンテンツの記録先情報や、ＵＲＬ等のコンテンツ配信サーバ装置２に記録されている配信コンテンツの記録先情報が登録される。例えば、図３におけるタイトルＡに対応する記録先情報として、タイトルＡのコンテンツデータが記録部１５に記録されていることを示す記録装置識別子HDDとアクセスに必要なファイル名が登録されている。また、タイトルＣに対応する記録先情報として、タイトルＣのコンテンツデータがコンテンツ配信サーバ装置２に記録されていることを示す識別子ＩＮＥＴと、アクセスに必要なＵＲＬが登録されている。
【００４０】
視聴情報欄１６３には、コンテンツ情報欄１６１に登録されたタイトルに対応するコンテンツの視聴（再生）回数、最終視聴日時が登録される。
【００４１】
前記の記録処理により、前記録画予約された放送コンテンツが記録され、さらに、前記の登録処理により、各データがコンテンツデータベース１６に登録される。なお、記録日時も登録される。
【００４２】
次に、記録可能判定部１３ａが、記録部１５の空き容量が不足するので、前記録画予約された放送コンテンツを記録部１５に記録することができないと判定した場合の処理について説明する。
【００４３】
削除コンテンツ選択部（選択手段）１３ｂは、新たに記録する放送コンテンツの記録容量が空き容量（記録可能容量）以上の場合に、記録部１５に記録された放送コンテンツの中から削除する放送コンテンツを選択し、選択した放送コンテンツのタイトル名等の記録コンテンツ情報をコンテンツ検索部１８に出力する。なお、空き容量が所定の容量以下になった場合等、様々なタイミングで削除する放送コンテンツを選択してもよい。他にも、ユーザーからの指示を受け付けて、選択処理を実行してもよい。
【００４４】
前記選択は様々な方法によって実行することができる。例えば、記録部１５に記録された放送コンテンツの中から、記録日時が最も古い放送コンテンツ又は再生回数（視聴回数）が最も少ない放送コンテンツを削除する放送コンテンツとして選択したり、記録サイズが大きい放送コンテンツを選択することができる。
【００４５】
なお、削除する放送コンテンツを選択した後又は削除する前に、この選択した放送コンテンツを削除してもよいか否かをユーザー確認することが好ましい。
【００４６】
削除コンテンツ選択部１３ｂが削除する放送コンテンツを選択し、選択した放送コンテンツのタイトル名等をコンテンツ検索部１８に出力すると、コンテンツ検索部１８は、選択された放送コンテンツと同一タイトルのコンテンツをコンテンツ配信サーバ装置２から検索する。ここでは、コンテンツ検索部１８は、タイトル名として、図３に示したタイトルＣを受信したとする。
【００４７】
前記検索は、従来から提案されている様々な方法を用いることができる。
例えば、コンテンツ配信サーバ装置２のトップページにアクセスし、当該トップページのＨＴＭＬデータを取得する。そして、このＨＴＭＬデータのテキストを解析し選択された放送コンテンツと同一タイトルを検索する。このトップページから同一タイトルを検索できなかった場合には、前記ＨＴＭＬデータのリンクをたどり、前記同一タイトルの検索を実行すればよい。このとき、検索対象コンテンツのジャンル、主演者情報、放送局等を検索キーに使用することで検索精度が高まる。連続ドラマの場合には、ドラマの放送日時等も検索キーとすることが好ましい。
【００４８】
他にも、コンテンツのタイトル、コンテンツのＵＲＬ、主演者情報、放送局等の情報が記録された専用の検索サーバ装置を設置してもよい。この場合、コンテンツ検索部１８は、検索サーバ装置にアクセスして、前記同一タイトルの検索を実行する。また、デジタル放送の場合、放送局が、放送コンテンツの伝送フォーマットであるＭＰＥＧ−２トランスポートストリームに含まれるＳＩ（Service Information）情報に、当該放送コンテンツの記録先情報（ＵＲＬ）を格納して送信してもよい。この場合、記録制御部１３が、ＳＩ情報に、放送コンテンツの記録先情報が格納されていることを検知すると、当該記録先情報をコンテンツデータベース１６に登録する。
【００４９】
コンテンツ検索部１８が、選択された放送コンテンツと同一タイトルのコンテンツをコンテンツ配信サーバ装置２から検索すると、コンテンツ情報取得部１９は、検索されたコンテンツのタグ情報（メタデータ）や当該コンテンツに係るＨＴＭＬデータ等から、コンテンツ検索部１８が検索したコンテンツに関する各種情報、例えば、コンテンツの記録先情報、画像サイズ、ビットレート、コーデック情報、課金情報、視聴期限情報等を取得する。
ここでは、タイトルＣの記録先情報として、http://xxx.xxx/△/c.mpg等を取得したとする。
【００５０】
次いで、記録制御部１３の記録コンテンツ更新部１３ｃは、選択された放送コンテンツのコンテンツデータ（動画データ）を記録部１５から削除する。
同時に、記録コンテンツ更新部１３ｃは、コンテンツ情報取得部１９が取得したコンテンツに関する各種情報をコンテンツデータベース１６に登録する。
【００５１】
すなわち、記録コンテンツ更新部１３ｃは、削除コンテンツ選択部（選択手段）１３ｂが選択した放送コンテンツを削除すると共に、コンテンツ情報取得部１９が取得した当該放送コンテンツのタイトルと同一タイトルのコンテンツの記録先情報（ＵＲＬ）をコンテンツデータベース１６に登録する手段として機能する。
ここでは、コンテンツ情報取得部１９が取得したタイトルＣの記録先情報（http://xxx.xxx/△/c.mpg）をタイトルＣの記録先情報欄１６２ｂに登録する。
【００５２】
また、他の取得した情報である、コンテンツの画像サイズ、ビットレート、コーデック情報を補足情報欄１６２ｃに登録する。
補足情報欄１６２ｃには、符号Ｐで示すように、取得したコンテンツに関連する各種情報が登録される。補足情報欄１６２ｃには、画像サイズやビットレート等のコンテンツ情報に加え、視聴の際に有料となるコンテンツには、それぞれのアクセス先の情報として「有料」、「無料」の情報が登録される。なお、課金情報以外のアクセス条件、例えば、コンテンツの配信期間や配信サイトへの会員登録の有無等を登録してもよい。
【００５３】
以後、記録可能判定部１３ａが前記録画予約された放送コンテンツを記録部１５に記録可能と判定するまで、繰り返し、削除する放送コンテンツの選択、検索、コンテンツデータの削除処理を実行する。
【００５４】
コンテンツの選択、検索、コンテンツデータの削除処理を図４のフロー図を用いて説明する。
ユーザーが記録再生装置１に放送コンテンツの録画予約を指示すると（ステップＳ１）、記録制御部１３の記録可能判定部１３ａは、録画予約された放送コンテンツのデータ量及び記録部１５の空き容量を算出し、録画予約された放送コンテンツを記録部１５に記録できるか否かを判定する（ステップＳ２）。
【００５５】
記録可能判定部１３ａが前記録画予約された放送コンテンツを記録部１５に記録できないと判定した場合（ステップＳ２／不可能）、削除コンテンツ選択部１３ｂは、記録部１５に記録された放送コンテンツの中から削除する放送コンテンツを選択する（ステップＳ３）。
【００５６】
記録制御部１３は、ステップＳ３で選択されたコンテンツを削除してもよいか否かをダイアログ画面等を介して、ユーザーに確認し（ステップＳ４）、削除してよいと確認できた場合（ステップＳ４／ＹＥＳ）、コンテンツ検索部１８は、選択された放送コンテンツと同一タイトルのコンテンツをコンテンツ配信サーバ装置２から検索する（ステップＳ５）。なお、選択されたコンテンツを削除してよいと確認できなかった場合（ステップＳ４／ＮＯ）、ステップＳ３に戻り、削除する放送コンテンツの再選択を実行する。
【００５７】
前記同一タイトルのコンテンツをコンテンツ配信サーバ装置２から検索できた場合（ステップＳ６／ＹＥＳ）、コンテンツ情報取得部１９は、コンテンツ検索部１８が検索したコンテンツに関する各種情報を取得する（ステップＳ７）。
【００５８】
記録制御部１３の記録コンテンツ更新部１３ｃは、選択された放送コンテンツのコンテンツデータを記録部１５から削除し（ステップＳ８）、コンテンツ情報取得部１９が取得した各種情報をコンテンツデータベース１６に登録する（ステップＳ９）。なお、削除前に、ステップＳ４で実行されるユーザーへの確認処理を実行してもよい。
【００５９】
次に、ステップＳ２に戻り、記録可能判定部１３ａが、再度、記録部１５の空き容量を算出し、録画予約された放送コンテンツを記録部１５に記録できるか否かを判定する。
【００６０】
ここで再び、記録可能判定部１３ａが前記録画予約された放送コンテンツを記録部１５に記録不可能と判定した場合（ステップＳ２／不可能）、ステップ３〜ステップＳ９の処理を再実行する。
【００６１】
記録可能判定部１３ａが前記録画予約された放送コンテンツを記録部１５に記録可能と判定した場合（ステップＳ２／可能）、前記録画予約された放送コンテンツの録画開始時間に至ると（ステップＳ１０／ＹＥＳ）、記録処理部１４は、放送受信部１１を介して前記録画予約された放送コンテンツを受信し、当該放送コンテンツを記録部１５に記録する（ステップＳ１１）。そして、録画予約処理部１２は、記録する放送コンテンツのタイトル等をコンテンツデータベース１６に登録する（ステップＳ１２）。
【００６２】
ここで、記録部１５に記録されている放送コンテンツの再生処理について説明する。
ユーザーが記録再生装置１のリモコン等を操作して、再生対象となる放送コンテンツを選択する。すると、再生制御部２１は、コンテンツデータベース１６を参照し、ユーザーによって選択された再生対象となる放送コンテンツの記録コンテンツ情報に含まれる記録先情報を特定する。
【００６３】
前記特定された記録先情報が、記録部１５に記録されたコンテンツのファイルパスであれば、当該ファイルパスが示す記録コンテンツにアクセスして再生する。また、前記特定された記録先情報が、ＵＲＬ等であれば当該ＵＲＬが示すコンテンツ配信サーバ装置２に記録されている配信コンテンツにアクセスし、例えば自装置にダウンロードして再生する。
【００６４】
このようにすることで、新たに放送コンテンツＸを記録できる記録容量がない場合でも、記録再生装置に記録されている放送コンテンツＹのコンテンツデータ（動画データ）を削除して記録容量を増やすことができる。さらに、放送コンテンツＹのネットワーク上における記録先情報を保持しているので、記録再生装置から放送コンテンツＹのコンテンツデータ（動画データ）を削除しても、放送コンテンツＹをダウンロード再生することができる。
【００６５】
上記の実施例では、削除する放送コンテンツを自動的に選択したが、ユーザー自らが削除する放送コンテンツを選択してもよい。この場合、ユーザーからの指示を受けて、削除する放送コンテンツ及びコンテンツデータベース１６に登録されている当該放送コンテンツの記録コンテンツ情報を削除するようにしてもよい。
【００６６】
図３で説明した記録装置識別子としては、例えば、記録部１５がＢｌｕ−Ｒａｙ  ＤｉｓｃやＤＶＤ等の記録メディア用の記録装置の場合、この記録装置、記録メディアを識別する識別子であってもよいし、ＳＤ−Ｃａｒｄ等の外部メモリ装置の場合、このＳＤ−Ｃａｒｄを識別する識別子であってもよい。なお、着脱自在の外部メディア自体を識別できれば、この識別情報を記録先情報に含めてもよい。
【符号の説明】
【００６７】
１…記録再生装置、２…コンテンツ配信サーバ装置、１１…放送受信部、１２…録画予約処理部、１３…記録制御部、１３ａ…記録可能判定部、１３ｂ…削除コンテンツ選択部、１３ｃ…記録コンテンツ更新部、１４…記録処理部、１５…記録部、１６…コンテンツデータベース、１７…コンテンツデータ、１８…コンテンツ検索部、１９…コンテンツ情報取得部、２０…ネットワークＩ／Ｆ、２１…再生制御部、１６１…コンテンツ情報欄、１６２…記録情報欄、１６２ａ…録画モード欄、１６２ｂ…記録先情報欄、１６２ｃ…補足情報欄、１６３…視聴情報欄。
【図１】
2011124920.tif 000003
【図２】
2011124920.tif 000004
【図３】
2011124920.tif 000005
【図４】
2011124920.tif 000006